(57)【特許請求の範囲】
【請求項１】
撮像手段と、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、
前記設定画面で表示される複数のキャラクタから一つのキャラクタを選択するための選択操作手段と、
前記選択操作手段によって選択されたキャラクタが示す設定内容で設定を変更することを決定するための決定操作手段と、
前記一覧画面に一覧表示される設定内容のキャラクタのうち、前記表示部以外に、覗き込んで使用するファインダー内の表示手段でも表示されるキャラクタの設定項目の設定画面においては、前記決定操作手段を操作することなく前記選択操作手段によって選択されたキャラクタが示す設定内容で設定を変更することを自動的に決定するよう制御する制御手段とを有し、
前記表示制御手段は、前記一覧画面に一覧表示される設定内容のキャラクタのうち、覗き込んで使用するファインダー内の表示手段では表示されないキャラクタの設定項目の設定画面において、前記選択されたキャラクタを他のキャラクタと識別可能な表示形態で表示する選択用表示をするよう制御し、設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記一覧画面に一覧表示される設定内容のキャラクタのうち、前記表示部以外に、覗き込んで使用するファインダー内の表示手段でも表示されるキャラクタの設定項目の設定画面においては、前記選択用表示をしないように制御することを特徴とする撮像装置。
【請求項２】
撮像手段と、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、
前記設定画面で表示される複数のキャラクタから一つのキャラクタを選択するための選択操作手段と、
前記選択操作手段によって選択されたキャラクタが示す設定内容で設定を変更することを決定するための決定操作手段とを有し、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを、前記設定画面において行った強調表示と同じ表示形態で所定時間強調表示するように制御することを特徴とする撮像装置。
【請求項３】
撮像手段と、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、
前記設定画面で表示される複数のキャラクタから一つのキャラクタを選択するための選択操作手段と、
前記選択操作手段によって選択されたキャラクタが示す設定内容で設定を変更することを決定するための決定操作手段と、
前記設定項目ごとに、前記一覧画面から前記設定画面へ切り替えるための異なる操作部材とを有し、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作手段として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作手段として機能させることを特徴とする撮像装置。
【請求項４】
前記表示制御手段は、前記設定画面において行う強調表示と、その後に切り替えられる前記一覧画面において行う強調表示とを同じ表示形態とすることを特徴とする請求項１または３に記載の撮像装置。
【請求項５】
前記設定項目ごとに、前記一覧画面から前記設定画面へ切り替えるための異なる操作部材を有し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作手段として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作手段として機能させることを特徴とする請求項１または２に記載の撮像装置。
【請求項６】
前記表示制御手段は、前記一覧画面において該決定された設定内容のキャラクタを所定時間だけ強調表示した後、その強調表示を解除することを特徴とする請求項１乃至５のいずれか１項に記載の撮像装置。
【請求項７】
当該撮像装置での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御ステップと、
前記設定画面で表示される複数のキャラクタから一つのキャラクタを選択するための選択操作ステップと、
前記選択操作ステップによって選択されたキャラクタが示す設定内容で設定を変更することを決定するための決定操作ステップと、
前記一覧画面に一覧表示される設定内容のキャラクタのうち、前記表示部以外に、覗き込んで使用するファインダー内の表示手段でも表示されるキャラクタの設定項目の設定画面においては、前記決定操作ステップで操作することなく前記選択操作ステップによって選択されたキャラクタが示す設定内容で設定を変更することを自動的に決定するよう制御する制御ステップとを有し、
前記表示制御ステップは、前記一覧画面に一覧表示される設定内容のキャラクタのうち、覗き込んで使用するファインダー内の表示手段では表示されないキャラクタの設定項目の設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記一覧画面に一覧表示される設定内容のキャラクタのうち、前記表示部以外に、覗き込んで使用するファインダー内の表示手段でも表示されるキャラクタの設定項目の設定画面においては、前記選択用表示をしないように制御することを特徴とする撮像装置の制御方法。
【請求項８】
コンピュータを、
撮像手段、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段、
前記一覧画面に一覧表示される設定内容のキャラクタのうち、前記表示部以外に、覗き込んで使用するファインダー内の表示手段でも表示されるキャラクタの設定項目の設定画面においては、前記決定操作手段を操作することなく前記選択操作手段によって選択されたキャラクタが示す設定内容で設定を変更することを自動的に決定するよう制御する制御手段として機能させるためのプログラムであって、
前記表示制御手段は、前記一覧画面に一覧表示される設定内容のキャラクタのうち、覗き込んで使用するファインダー内の表示手段では表示されないキャラクタの設定項目の設定画面において、前記選択されたキャラクタを他のキャラクタと識別可能な表示形態で表示する選択用表示をするよう制御し、設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記一覧画面に一覧表示される設定内容のキャラクタのうち、前記表示部以外に、覗き込んで使用するファインダー内の表示手段でも表示されるキャラクタの設定項目の設定画面においては、前記選択用表示をしないように制御することを特徴とするプログラム。
【請求項９】
コンピュータを、
撮像手段、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段、
前記一覧画面に一覧表示される設定内容のキャラクタのうち、前記表示部以外に、覗き込んで使用するファインダー内の表示手段でも表示されるキャラクタの設定項目の設定画面においては、前記決定操作手段を操作することなく前記選択操作手段によって選択されたキャラクタが示す設定内容で設定を変更することを自動的に決定するよう制御する制御手段として機能させるためのプログラムであって、
前記表示制御手段は、前記一覧画面に一覧表示される設定内容のキャラクタのうち、覗き込んで使用するファインダー内の表示手段では表示されないキャラクタの設定項目の設定画面において、前記選択されたキャラクタを他のキャラクタと識別可能な表示形態で表示する選択用表示をするよう制御し、設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記一覧画面に一覧表示される設定内容のキャラクタのうち、前記表示部以外に、覗き込んで使用するファインダー内の表示手段でも表示されるキャラクタの設定項目の設定画面においては、前記選択用表示をしないように制御するプログラムを記録したことを特徴とするコンピュータ読み取り可能な記録媒体。
【請求項１０】
当該撮像装置での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御ステップと、
前記設定画面で表示される複数のキャラクタから一つのキャラクタを選択するための選択操作ステップと、
前記選択操作ステップによって選択されたキャラクタが示す設定内容で設定を変更することを決定するための決定操作ステップとを有し、
前記表示制御ステップは、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを、前記設定画面において行った強調表示と同じ表示形態で所定時間強調表示するように制御することを特徴とする撮像装置の制御方法。
【請求項１１】
コンピュータを、
撮像手段、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを、前記設定画面において行った強調表示と同じ表示形態で所定時間強調表示するように制御することを特徴とするプログラム。
【請求項１２】
コンピュータを、
撮像手段、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを、前記設定画面において行った強調表示と同じ表示形態で所定時間強調表示するように制御するプログラムを記録したことを特徴とするコンピュータ読み取り可能な記録媒体。
【請求項１３】
当該撮像装置での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御ステップと、
前記設定画面で表示される複数のキャラクタから一つのキャラクタを選択するための選択操作ステップと、
前記選択操作ステップによって選択されたキャラクタが示す設定内容で設定を変更することを決定するための決定操作ステップと、
前記設定項目ごとに、前記一覧画面から前記設定画面へ切り替えるための異なる操作部材の操作を受け付けるステップと有し、
前記表示制御ステップは、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作ステップでの選択として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作ステップでの選択として機能させることを特徴とする撮像装置の制御方法。
【請求項１４】
コンピュータを、
撮像手段、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段、
前記設定項目ごとに、前記一覧画面から前記設定画面へ切り替えるための異なる操作部材として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作手段として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作手段として機能させることを特徴とするプログラム。
【請求項１５】
コンピュータを、
撮像手段、
前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段、
前記設定項目ごとに、前記一覧画面から前記設定画面へ切り替えるための異なる操作部材として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作手段として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作手段として機能させることを特徴とするコンピュータ読み取り可能な記録媒体。
【請求項１６】
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、
前記設定画面で表示される複数のキャラクタから一つのキャラクタを選択するための選択操作手段と、
前記選択操作手段によって選択されたキャラクタが示す設定内容で設定を変更することを決定するための決定操作手段とを有し、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを、前記設定画面において行った強調表示と同じ表示形態で所定時間強調表示するように制御することを特徴とする表示制御装置。
【請求項１７】
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御ステップと、
前記設定画面で表示される複数のキャラクタから一つのキャラクタを選択するための選択操作ステップと、
前記選択操作ステップによって選択されたキャラクタが示す設定内容で設定を変更することを決定するための決定操作ステップとを有し、
前記表示制御ステップは、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを、前記設定画面において行った強調表示と同じ表示形態で所定時間強調表示するように制御することを特徴とする表示制御装置の制御方法。
【請求項１８】
コンピュータを、
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを、前記設定画面において行った強調表示と同じ表示形態で所定時間強調表示するように制御することを特徴とするプログラム。
【請求項１９】
コンピュータを、
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを、前記設定画面において行った強調表示と同じ表示形態で所定時間強調表示するように制御するプログラムを記録したことを特徴とするコンピュータ読み取り可能な記録媒体。
【請求項２０】
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、
前記設定画面で表示される複数のキャラクタから一つのキャラクタを選択するための選択操作手段と、
前記選択操作手段によって選択されたキャラクタが示す設定内容で設定を変更することを決定するための決定操作手段と、
前記設定項目ごとに、前記一覧画面から前記設定画面へ切り替えるための異なる操作部材とを有し、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作手段として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作手段として機能させることを特徴とする表示制御装置。
【請求項２１】
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御ステップと、
前記設定画面で表示される複数のキャラクタから一つのキャラクタを選択するための選択操作ステップと、
前記選択操作ステップによって選択されたキャラクタが示す設定内容で設定を変更することを決定するための決定操作ステップと、
前記設定項目ごとに、前記一覧画面から前記設定画面へ切り替えるための異なる操作部材の操作を受け付けるステップとを有し、
前記表示制御ステップは、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作ステップでの選択として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作ステップでの選択として機能させることを特徴とする表示制御装置の制御方法。
【請求項２２】
コンピュータを、
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段、
前記設定項目ごとに、前記一覧画面から前記設定画面へ切り替えるための異なる操作部材として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作手段として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作手段として機能させることを特徴とするプログラム。
【請求項２３】
コンピュータを、
複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段、
前記設定画面で表示される複数のキャラクタから一つのキャラクタを選択するための選択操作手段、
前記選択操作手段によって選択されたキャラクタが示す設定内容で設定を変更することを決定するための決定操作手段、
前記設定項目ごとに、前記一覧画面から前記設定画面へ切り替えるための異なる操作部材として機能させるためのプログラムであって、
前記表示制御手段は、前記設定画面において、前記選択されたキャラクタを他のキャラクタと識別可能な表示形態で表示する選択用表示をするよう制御し、
設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、
前記操作部材は、上下左右を指示するためのボタンのいずれかであり、
上ボタン又は下ボタンを押下することにより設定画面に切り替わる設定項目については、その設定画面で複数の設定内容のキャラクタを上下方向に並べて表示し、かつ、上ボタン及び下ボタンを前記選択操作手段として機能させ、
右ボタン又は左ボタンを押下することにより設定画面に切り替わる設定項目については、その設定画面で複数の設定内容のキャラクタを左右方向に並べて表示し、かつ、右ボタン及び左ボタンを前記選択操作手段として機能させるプログラムを記録したことを特徴とするコンピュータ読み取り可能な記録媒体。
【発明の詳細な説明】
【技術分野】
【０００１】
本発明は、静止画像や動画像を撮像・記録・再生する撮像装置及びその制御方法、並びに表示制御装置及びその制御方法、更にはプログラム及びコンピュータ読み取り可能な記録媒体に関する。
【背景技術】
【０００２】
近年、デジタルカメラに搭載されるＴＦＴ液晶等の表示部は大型化の傾向にある。表示部の大型化に伴い、様々な撮影に関する設定項目の設定値を表示部に一覧表示する機能を備えたデジタルカメラが増加している。表示部に一覧表示される設定項目の設定値は、ユーザが自由に変更できるものが多い。
【０００３】
特許文献１によれば、メニュー設定時には絵文字とともに文字を表示するようにして、所望の設定変更を行いやすくし、設定後は絵文字のみとすることで、表示画面上煩わしくないように構成している。
【０００４】
【特許文献１】特開平１１−２７５３９４号公報
【発明の開示】
【発明が解決しようとする課題】
【０００５】
表示部を備えた撮像装置において、表示部にはホワイトバランス、記録画質、色空間等の各種設定項目の設定値をはじめ、残り撮影可能枚数、電池残量という様々な情報の一覧表示が可能である。
【０００６】
しかしながら、これらの設定値や情報が一覧表示されるため、画面上のどこに何が表示されているかを即座に認識することが難しいという問題がある。特にユーザが所望の設定項目の設定値を変更した後、一覧画面に戻った際に、変更した設定値がどこに表示されているかを即座に認識することが難しく、設定値を確認することに対して煩わしさを伴っていた。
【０００７】
本発明は、上記のような点に鑑みてなされたものであり、ユーザが所望の設定項目の設定内容の変更を行った後、一覧画面に戻った際に、変更した設定内容が一覧画面上のどこに表示されているのかを即座に認識できるようにすることを目的とする。
【課題を解決するための手段】
【０００８】
本発明の撮像装置は、撮像手段と、前記撮像手段での撮像に関する複数の設定項目の設定内容をそれぞれキャラクタとして一覧表示する一覧画面と、設定内容の変更を受け付けるために、前記設定項目ごとに設定候補となる設定内容を示す複数のキャラクタを表示する設定画面とを表示部へ表示するよう制御する表示制御手段と、前記設定画面で表示される複数のキャラクタから一つのキャラクタを選択するための選択操作手段と、前記選択操作手段によって選択されたキャラクタが示す設定内容で設定を変更することを決定するための決定操作手段と、前記一覧画面に一覧表示される設定内容のキャラクタのうち、前記表示部以外に、覗き込んで使用するファインダー内の表示手段でも表示されるキャラクタの設定項目の設定画面においては、前記決定操作手段を操作することなく前記選択操作手段によって選択されたキャラクタが示す設定内容で設定を変更することを自動的に決定するよう制御する制御手段とを有し、前記表示制御手段は、前記一覧画面に一覧表示される設定内容のキャラクタのうち、覗き込んで使用するファインダー内の表示手段では表示されないキャラクタの設定項目の設定画面において、前記選択されたキャラクタを他のキャラクタと識別可能な表示形態で表示する選択用表示をするよう制御し、設定を変更することが決定されると、前記設定画面において、該決定されたことが識別可能なように前記選択用表示とは異なる表示形態で前記選択されたキャラクタを所定時間強調表示した後、該設定画面を前記一覧画面に切り替え、該一覧画面において、該決定された設定内容のキャラクタを所定時間強調表示するように制御し、前記一覧画面に一覧表示される設定内容のキャラクタのうち、前記表示部以外に、覗き込んで使用するファインダー内の表示手段でも表示されるキャラクタの設定項目の設定画面においては、前記選択用表示をしないように制御することを特徴とする。
【発明の効果】
【０００９】
本発明によれば、ユーザが所望の設定項目の設定内容の変更を行った後、一覧画面に戻った際に、変更した設定内容が一覧画面上のどこに表示されているのかを即座に認識することができ、ユーザインタフェースを向上させることができる。
【発明を実施するための最良の形態】
【００１０】
以下、添付図面を参照して、本発明の好適な実施形態について説明する。本実施形態では、本発明を適用した電子機器として撮像装置を説明する。
【００１１】
（第１の実施形態）
図１は、第１の実施形態に係る撮像装置であるデジタルカメラの構成を示す図である。デジタルカメラは、カメラ本体１００と、カメラ本体１００に着脱可能なレンズユニット３００とにより構成される。レンズユニット３００はマウント部１０６、３０６を介してカメラ本体１００に装着される。レンズユニット３００がカメラ本体１００に装着されると、Ｉ／Ｆ１２０、３２０、接点１２２、３２２を介してカメラ本体１００とレンズユニット３００との間で通信が可能になるとともに、レンズユニット３００側に電力が供給される。
【００１２】
３１０は撮影レンズである。３１２は絞りである。１３０はメインミラー（クイックリターンミラー）であり、撮影光束をペンタダハミラー１３２の方向へ導くために撮影光軸に対して４５°の角度に保持される状態と、撮像素子１４の方向へ導くために撮影光束から退避した位置に保持される状態とを取り得る。１２はシャッターである。１４は光学像を電気信号に変換するＣＣＤやＣＭＯＳ等の撮像素子である。１６は撮像素子１４のアナログ信号出力をデジタル信号に変換するＡ／Ｄ変換器である。
【００１３】
１８はタイミング発生回路であり、撮像素子１４、Ａ／Ｄ変換器１６、Ｄ／Ａ変換器２６にクロック信号や制御信号を供給する。タイミング発生回路１８は、メモリ制御回路２２及びシステム制御回路５０により制御される。
【００１４】
２０は画像処理回路であり、Ａ／Ｄ変換器１６からのデータ或いはメモリ制御回路２２からのデータに対して所定の画素補間処理や色変換処理を行う。また、画像処理回路２０は、撮像した画像データを用いて所定の演算処理を行い、得られた演算結果に基づいてシステム制御回路５０がシャッター制御部４０、測距制御部３４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行う。更に、画像処理回路２０は、撮像した画像データを用いて所定の演算処理を行い、得られた演算結果に基づいてＴＴＬ方式のＡＷＢ（オートホワイトバランス）処理を行う。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１６】
２４は画像表示メモリ、２６はＤ／Ａ変換器、２８はＴＦＴ ＬＣＤ等からなる画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８には、後述するように設定項目の設定内容も表示される。また、画像表示部２８は、システム制御回路５０の指示により任意に表示をＯＮ／ＯＦＦすることが可能であり、表示をＯＦＦにした場合にはデジタルカメラの電力消費を大幅に低減することができる。
【００１７】
３０は撮影した静止画像や動画像のデータを格納するためのメモリであり、所定枚数の静止画像や所定時間の動画像のデータを格納するのに十分な記憶量を備える。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１８】
３２は適応離散コサイン変換（ＡＤＣＴ）等により画像データを圧縮伸長する圧縮・伸長回路であり、メモリ３０に格納された画像データを読み込んで圧縮処理或いは伸長処理を行い、処理を終えたデータをメモリ３０に書き込む。
【００１９】
４０はシャッター１２を制御するシャッター制御部である。３４０は絞り３１２を制御する絞り制御部である。３４２は撮影レンズ３１０のフォーカシングを制御する測距制御部である。３４４は撮影レンズ３１０のズーミングを制御するズーム制御部である。４２は測距を行う測距部である。４６は測光を行う測光部である。４８はフラッシュであり、ＡＦ補助光の投光機能、フラッシュ調光機能も有する。シャッター制御部４０、測距制御部３４２はＴＴＬ方式を用いて制御されており、撮像した画像データを画像処理回路２０によって演算した演算結果に基づき、システム制御回路５０がシャッター制御部４０、測距制御部３４２に対して制御を行う。
【００２０】
５０はデジタルカメラの全体を制御するシステム制御回路である。５２はシステム制御回路５０の動作用の定数、変数、プログラム等を記憶するメモリである。３５０はレンズユニット３００を制御するレンズ制御回路である。
【００２１】
５４はシステム制御回路５０でのプログラムの実行に応じて、文字、画像等を用いて動作状態やメッセージ等を表示する、画像表示部２８とは異なる液晶表示装置等の表示部である。表示部５４は、カメラ本体１００の操作部近辺の視認し易い位置に単数或いは複数個所設置され、例えばＬＣＤやＬＥＤ等の組み合わせにより構成される。また、表示部５４は、その一部の機能が光学ファインダ１０４内に設置されている。
【００２２】
表示部５４の表示内容のうち、ＬＣＤ等に表示するものとしては、シングルショット／連写撮影表示、セルフタイマー表示、圧縮率表示、記録画素数表示、ＩＳＯ感度表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示等がある。
【００２３】
また、表示部５４の表示内容のうち、光学ファインダ１０４内に表示するものとしては、合焦表示、手振れ警告表示、フラッシュ充電表示、シャッタースピード表示、絞り値表示、露出補正表示、ＩＳＯ感度表示等がある。
【００２４】
５６は電気的に消去・記録可能な不揮発性メモリであり、例えばＥＥＰＲＯＭ等が用いられる。
【００２５】
６０、６２、６４、６６及び７０は、システム制御回路５０の各種の動作指示を入力するための操作手段であり、スイッチやダイアル、タッチパネル、視線検知によるポインティング、音声認識装置等の単数或いは複数の組み合わせにより構成される。
【００２６】
ここで、これらの操作手段の具体的な説明を行う。６０はモードダイアルスイッチであり、電源ＯＦＦ、自動撮影モード、撮影モード、パノラマ撮影モード、再生モード、マルチ画面再生・消去モード、ＰＣ接続モード等の各機能モードを切り替え設定することができる。
【００２７】
６２はシャッタースイッチＳＷ１であり、不図示のシャッターボタンの操作途中（半押し）でＯＮとなり、ＡＦ処理、ＡＥ処理、ＡＷＢ処理、ＥＦ処理等の動作開始を指示する。６４はシャッタースイッチＳＷ２であり、不図示のシャッターボタンの操作完了（全押し）でＯＮとなり、露光処理、現像処理、記録処理という一連の処理の動作開始を指示する。露光処理では、撮像素子１４から読み出した信号をＡ／Ｄ変換器１６、メモリ制御回路２２を介してメモリ３０に画像データを書き込む。現像処理では、画像処理回路２０やメモリ制御回路２２での演算を行う。記録処理では、メモリ３０から画像データを読み出し、圧縮・伸長回路３２で圧縮を行い、記録媒体２００或いは２１０に画像データを書き込む。
【００２８】
６６は画像表示ＯＮ／ＯＦＦスイッチであり、画像表示部２８のＯＮ/ＯＦＦを設定することができる。この機能により、光学ファインダ１０４を用いて撮影を行う際に、ＴＦＴ ＬＣＤ等からなる画像表示部２８への電流供給を遮断することにより、省電力を図ることが可能となる。
【００２９】
７０は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、上下左右ボタン、インフォボタン等がある。
【００３０】
７２は電源スイッチであり、デジタルカメラの電源ＯＮ／ＯＦＦの各モードを切り替え設定することができる。また、カメラ本体１００に接続されたレンズユニット３００、外部ストロボ、記録媒体２００、２１０等の各種付属装置の電源ＯＮ／ＯＦＦの設定も合わせて切り替え設定することができる。
【００３１】
７４は強調表示部であり、詳細は後述するが、画像表示部２８に表示される設定項目の設定内容のうち、変更された設定項目の設定内容を強調表示することができる。
【００３２】
７６は表示タイマーであり、強調表示部７４により強調表示する時間を定める。
【００３３】
８０は電源制御部であり、電池検出回路、ＤＣ-ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいてＤＣ-ＤＣコンバータを制御し、必要な電圧を必要な期間、記録媒体を含む各部へ供給する。
【００３４】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源である。
【００３５】
９０及び９４はメモリカードやハードディスク等の記録媒体とのインタフェースである。９２及び９６はメモリカードやハードディスク等の記録媒体と接続を行うコネクタである。９８はコネクタ９２及び或いは９６に記録媒体２００或いは２１０が装着されているか否かを検知する記録媒体着脱検知部である。
【００３６】
なお、本実施形態では記録媒体を取り付けるインタフェース及びコネクタを２系統持つものとして説明しているが、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００３７】
インタフェース及びコネクタとしては、ＰＣＭＣＩＡカードやＣＦ（コンパクトフラッシュ（登録商標））カード、ＳＤカード等の規格に準拠したものを用いて構成して構わない。更に、インタフェース９０及び９４、そしてコネクタ９２及び９６をＰＣＭＣＩＡカードやＣＦ（コンパクトフラッシュ）カード、ＳＤカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００３８】
１０４は光学ファインダであり、画像表示部２８による電子ファインダ機能を使用することなしに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示、ＩＳＯ感度表示、等の機能が設置されている。１３２はペンタダハミラーであり、撮影光束を光学ファインダ１０４の方向へ導く。
【００３９】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０によりデジタルカメラを他の機器と接続するコネクタ或いは無線通信の場合はアンテナである。
【００４０】
２００はメモリカードやハードディスク等の記録媒体である。記録媒体２００は、半導体メモリや磁気ディスク等から構成される記録部２０２、デジタルカメラとのインタフェース２０４、デジタルカメラと接続を行うコネクタ２０６を備える。同様に、２１０はメモリカードやハードディスク等の記録媒体である。記録媒体２１０は、半導体メモリや磁気ディスク等から構成される記録部２１２、デジタルカメラとのインタフェース２１４、デジタルカメラと接続を行うコネクタ２１６を備える。
【００４１】
図２は、本実施形態に係るデジタルカメラを背面から見た外観図である。なお、図１に示した構成要素には同一の符号を付す。１２００はカメラ本体１００の筐体である。
【００４２】
１２１０〜１２２０は操作部７０を構成する各種ボタンである。１２１０はメニュー項目を表示するためのメニューボタンである。１２１１は表示の切り替えを指示するインフォボタンである。１２１２は画像再生を開始するための再生ボタンである。１２１３は上方向の選択を指示する上ボタンである。１２１４は右方向の選択を指示する右ボタンである。１２１５は下方向の選択を指示する下ボタンである。１２１６は左方向の選択を指示する左ボタンである。なお、図示例では上下左右ボタン１２１３〜１２１６が独立したものとしたが、十字キーであっても構わない。１２１７は決定を指示するセットボタンである。１２１８は拡大を指示する拡大ボタンである。１２１９は縮小を指示する縮小ボタンである。１２２０は電子ダイアルである。
【００４３】
ここで、カメラ本体１００の背面の画像表示部２８には、複数の設定項目の設定内容（設定値や設定モード等）をそれぞれキャラクタとして一覧表示する一覧画面が表示される。図３は、画像表示部２８に表示される一覧画面１３００の一例を示す。なお、図３に示す一覧画面１３００は一例であり、デジタルカメラにおける機能に係る設定項目であれば、図３に示した項目に限られるものではない。
【００４４】
デジタルカメラは、インフォボタン１２１１が押下されると一覧画面１３００を表示し、一覧画面１３００を表示している状態で再度インフォボタン１２１１が押下されると非表示とする。或いは、デジタルカメラの電源起動時に自動的に一覧画面１３００を表示するようにしてもよい。
【００４５】
図３において、１３０１〜１３１１はユーザが任意に設定できる設定項目の設定内容を表すキャラクタである。また、１３１２、１３１３はデジタルカメラの状態によって決定される情報を表すキャラクタである。
【００４６】
１３０１はシャッタースピードを表すキャラクタである。デジタルカメラではシャッター１２が開いている間だけ撮像素子１４に光が入るが、シャッター１２が開いている時間がシャッタースピードである。シャッタースピードはシャッター制御部４０により制御される。
【００４７】
１３０２は絞り値を表すキャラクタであり、被写体像の光量を調節するために絞り３１２の開口面積を変化させる値である。絞り値は絞り制御部３４０により制御される。絞り値のキャラクタ１３０２に傍には電子ダイアルのキャラクタ１３３０が表示されており、電子ダイアル１２２０を回すと絞り値の変更が行われることを示している。
【００４８】
１３０３は露出補正値と露出ブラケット撮影を表すキャラクタである。露出補正値は画像の明るさを決定し、露出ブラケットは明るさを変化させた画像を複数枚撮影する。
【００４９】
１３０４はＩＳＯ感度を表すキャラクタである。ＩＳＯ感度とは、撮像素子１４の感度を決定するためのものであり、ＩＳＯ感度が高いほど動きの速い被写体を撮影しやすくなる。
【００５０】
１３０５は撮影モードを表すキャラクタである。撮影モードには、自動撮影モード、プログラム撮影モード、シャッター速度優先撮影モード、絞り優先撮影モード、マニュアル撮影モード、焦点深度優先（デプス）撮影モード、パノラマ撮影モード等がある。更に、ポートレート撮影モード、風景撮影モード、接写撮影モード、スポーツ撮影モード、夜景撮影モード等がある。モードダイアルスイッチ６０により、これら各モードの切換設定が可能である。
【００５１】
１３０６はホワイトバランスを表すキャラクタである。ホワイトバランスとは、どのような光の下でも適切な白色を再現するための機能であり、オートホワイトバランス、太陽光、晴天、曇天、白熱電球、蛍光灯、ストロボ、晴天日陰等がある。
【００５２】
１３０７はドライブモードを表すキャラクタである。ドライブモードには、単写モード、連写モード、セルフタイマーモード等がある。
【００５３】
１３０８はピクチャースタイルを表すキャラクタである。ピクチャースタイルとは、撮影した画像を目的にあった画像処理をするためのものであり、スタンダード、風景、ポートレート、忠実設定、モノクロ等がある。撮影した画像を画像処理回路２０で設定されたピクチャースタイルに従って所定の演算処理をする。
【００５４】
１３０９は測光モードを表すキャラクタである。測光モードとは、撮影しようとしている画面のどの部分で明るさを測定するかを決定する機能であり、評価測光、分割測光、スポット測光等がある。設定された測光モードに従って測光部４５により測光処理を行う。
【００５５】
１３１０はＡＦモードを表すキャラクタである。ＡＦモードとは、オートフォーカスの方式を決定するためのものであり、ワンショット、ＡＩサーボ、ＡＩフォーカス等がある。
【００５６】
１３１１は記録画質を表すキャラクタである。記録画質とは、撮影する画像の大きさと圧縮率を決定するためのものであり、画像の大きさにはＳ、Ｍ、Ｌ等があり、圧縮率にはノーマル、ファイン等がある。
【００５７】
１３１２は電池残量を表すキャラクタであり、電源制御部８０により検出される電池残量が表示される。
【００５８】
１３１３は撮影可能枚数を表すキャラクタであり、デジタルカメラに装着されている記録メディアに記録可能な画像の枚数が表示される。
【００５９】
ユーザは、各種設定項目の設定内容１３０１〜１３１１のうちいずれかを変更したい場合、後述するように、所望の設定項目についての設定画面に画面遷移させる。設定画面は、一覧画面１３００にある設定項目ごとに、設定項目の設定内容の変更を受け付けるための画面である。一覧画面１３００から各設定項目の設定画面に画面遷移させる操作は、各種ボタンに割り当てられている。例えばドライブモードの設定内容を変更したい場合、右ボタン１２１４を押下すると、画像表示部２８にはドライブモードの設定画面が表示される。
【００６０】
図４は、画像表示部２８に表示される設定画面の一例を示す。ここでは、ドライブモードの設定画面１４００について説明する。ドライブモードの変更に際しては、上述したように右ボタン１２１４を押下することにより、ドライブモードの設定画面１４００に画面遷移することができる。
【００６１】
ドライブモードの設定画面１４００において、１４０１〜１４０５は設定可能な複数の設定内容を表すキャラクタである。１４０１は単写モードを表すキャラクタである。１４０２は連写モードを表すキャラクタである。１４０３はセルフタイマーモード（リモコン撮影）を表すキャラクタである。１４０４はセルフタイマーモード（カスタムセルフタイマー）を表すキャラクタである。１４０５はセルフタイマーモード（２秒セルフタイマー）を表すキャラクタである。
【００６２】
１４１０はどの設定内容１４０１〜１４０５を選択しているかを示すフォーカスである。フォーカス１４１０は、色を変更する、枠線で囲む等、選択中を意味する強調表示で表される。
【００６３】
これらキャラクタ１４０１〜１４０５は左右方向に並ぶように表示され、右ボタン１２１４及び左ボタン１２１６によりフォーカス１４１０を移動させて選択できるようになっている。右ボタン１２１４を押下することによりドライブモードの設定画面１４００に画面遷移するようにしたので、キャラクタ１４０１〜１４０５を左右方向に並べている。これにより、設定画面１４００への画面遷移、キャラクタ１４０１〜１４０５の選択といった一連の操作をスムーズに行うことが可能になる。換言すれば、上ボタン１２１３又は下ボタン１２１５を押下することによりある設定項目の設定画面に画面遷移する場合、その設定画面では、設定可能な複数の設定内容を表すキャラクタを上下方向に並べるのが好ましい。
【００６４】
図５は、図４に示した設定画面１４００に表示されるキャラクタ１４０１〜１４０５から一つを選択し、その選択された設定内容を決定する場合の画面遷移を示す。
【００６５】
図５（ａ）では、現在設定されている設定内容（単写モード）にフォーカス１４１０が当たっている。右ボタン１２１４を押下すると、フォーカス１４１０は右に移動し、左ボタン１２１６を押下すると、フォーカス１４１０は左に移動する。すなわち、図５（ａ）の状態から右ボタン１２１４を押下すると、図５（ｂ）に示すように、フォーカス１４１０は一つ右に移動し、連写モードを選択した状態になる。
【００６６】
右ボタン１２１４及び左ボタン１２１６での選択操作を繰り返し、変更したい設定内容のキャラクタを選択したならば、セットボタン１２１７を押下して決定する。図５（ｃ）は、図５（ｂ）の状態でセットボタン１２１７を押下した状態を示す。このとき、強調表示部７４は、フォーカス１４１０を選択中の強調表示とは異なる強調表示で表す。例えばフォーカス１４１０で囲まれた背景の色を変更したり、フォーカス１４１０自体の色を変更したりする。また、設定内容を大きく表示する、点滅表示する等の強調表示も有効である。
【００６７】
所定時間の強調表示を行った後、デジタルカメラに該決定した設定内容を設定して、一覧画面に画面遷移する。所定時間の判定は表示タイマー７６により行う。
【００６８】
図６には、一覧画面１３００から設定画面１４００に画面遷移し、設定内容を決定後に再び一覧画面１３００に戻る一連の画面遷移を示す。
【００６９】
図６（ａ）に示すように、画像表示部２８には一覧画面１３００が表示されている。この状態で、右ボタン１２１４を押下すると、図６（ｂ）に示すように、画像表示部２８にはドライブモードの設定画面１４００が表示される。設定画面１４００において、右ボタン１２１４を押下すると、図６（ｃ）に示すように、フォーカス１４１０は一つ右に移動し、連写モードを選択した状態になる。例えばその状態でセットボタン１２１７を押下すると、図６（ｄ）に示すように、連写モードが決定したことを意味する強調表示６０１がなされる。
【００７０】
所定時間の強調表示６０１がなされた後、図６（ｅ）に示すように、一覧画面１３００に切り替えられる。このときの一覧画面１３００では、直前に設定されたドライブモード（連写モード）のキャラクタ１３０７が表示されるとともに強調表示６０２される。この強調表示６０２と設定画面１４００における強調表示６０１とを同じ表示形態をすることにより、ユーザに変更された設定内容が強調表示されているということを認識させることができる。同じ表示形態とは、例えば同じ色を使用する等が考えられる。また、強調表示の枠の形状を同じにしてもよいし、同じ点滅処理を行うようにしてもよい。このように一覧画面１３００において強調表示６０２することにより、一覧画面１３００でもユーザは変更した設定内容がどこに表示されているかを即座に認識することが可能である。なお、所定時間だけ強調表示６０２がなされた後、図６（ｆ）に示すように、強調表示６０２は解除される。
【００７１】
図７は、デジタルカメラによる画面表示の処理動作を示すフローチャートである。この処理動作は、システム制御回路５０が強調表示部７４、表示タイマー７６等と協働して実行される。すなわち、本実施形態では、これらシステム制御回路５０が、強調表示部７４、表示タイマー７６等が本発明でいう表示制御手段として機能する。以下、図６を参照しつつ、デジタルカメラによる画面表示の処理動作を説明する。
【００７２】
インフォボタン１２１１が押下されると、図６（ａ）に示すように、画像表示部２８に一覧画面１３００を表示する（ステップＳ１０１）。
【００７３】
設定画面表示ボタン（ドライブモードの場合は右ボタン１２１４）が押下されると（ステップＳ１０２）、図６（ｂ）に示すように、画像表示部２８にドライブモードの設定画面１４００を表示する（ステップＳ１０３）。そして、現在デジタルカメラに設定されている設定内容のキャラクタをフォーカスし、フォーカス１４１０を選択状態とする（ステップＳ１０４）。ここでは、選択状態を表すために、予め定められた選択色によりフォーカス１４１０を表示するものとする。
【００７４】
続いて、ボタンイベントを判定する（ステップＳ１０５）。ステップＳ１０５において選択用操作部（ドライブモードの場合は右ボタン１２１４及び左ボタン１２１６）が押下された場合、その操作に従ってフォーカス１４１０を移動させて（ステップＳ１０６）、図６（ｃ）に示すように、フォーカス１４１０を選択状態にする（ステップＳ１０４）。
【００７５】
一方、ステップＳ１０５において決定用操作部（ドライブモードの場合はセットボタン１２１７）が押下された場合、図６（ｄ）に示すように、決定指示のあった設定内容のキャラクタを強調表示６０１する（ステップＳ１０７）。ここでは、強調表示として、予め定められた決定色によりフォーカス１４１０を表示するものとする。そして、所定時間の経過後、図６（ｅ）に示すように、一覧画面１３００に切り替えるとともに（ステップＳ１０８）、ステップＳ１０７において決定したドライブモードのキャラクタ１３０７を強調表示６０２する（ステップＳ１０９）。ここでの強調表示も、ステップＳ１０７で表示したように、予め定められた同色の決定色でキャラクタ１３０７を囲む領域を表示するものとする。所定時間の強調表示６０２を行った後、図６（ｆ）に示すように、その強調表示６０２を解除して、通常の一覧画面１３００とする（ステップＳ１１０）。
【００７６】
以上のように本発明を適用したことによる効果を説明する。図３に示すように、画像表示部２８には複数の設定項目の設定内容のキャラクタ１３０１〜１３１１等が一覧表示されるので、そのままでは、ユーザが変更した設定内容がどこに表示されているのかを即座に判断することが難しい。
【００７７】
そこで、設定画面１４００において設定内容が変更されてそれが決定されると、まず、設定画面１４００において、該決定した設定内容のキャラクタを所定時間だけ強調表示する。その後、一覧画面１３００に切り替え、一覧画面１３００において、該決定した設定内容のキャラクタを所定時間だけ強調表示する。これにより、一覧画面１３００に戻った際に、設定画面１４００で変更した設定内容がどこに表示されているのかをユーザに即座に認識させることができ、ユーザインタフェースを向上させることができる。
【００７８】
特に、設定画面１４００から一覧画面１３００に戻る際の強調表示を同じ表示形態とすることにより、一連の画面遷移の中で、設定内容を決定したという動作をユーザが容易に認識することができる。また、項目が多い一覧画面の中で決定した項目を容易に認識することができる。
【００７９】
（第２の実施形態）
次に、第２の実施形態を説明する。第１の実施形態では、設定画面に表示される設定内容のキャラクタから一つを選択するための選択用操作部と、選択用操作部により選択された設定内容を決定するための決定用操作部とを備える例を説明した。それに対して、第２の実施形態では、設定画面に表示される設定内容のキャラクタから一つを選択することが、その選択された設定内容を決定することを兼ねる選択及び決定用操作部を備える例を説明する。なお、デジタルカメラの基本構成は第１の実施形態と同様であり、以下では、第１の実施形態との相違点を中心に説明する。
【００８０】
図８は、画像表示部２８に表示される設定画面の一例を示す。ここでは、ＩＳＯ感度の設定画面１５００について説明する。ＩＳＯ感度の設定画面１５００において、ＩＳＯ感度「１００」、「２００」、「４００」、「８００」、「１６００」を表すキャラクタが上下方向に並ぶように表示される。そして、上ボタン１２１３及び下ボタン１２１５によりフォーカス１５１０を移動させて選択及び決定できるようになっている。フォーカス１５１０は、色を変更する、枠線で囲む等、選択及び決定したことを意味する強調表示で表される。
【００８１】
図８（ａ）では、現在設定されている設定内容（「１００」）にフォーカス１５１０が当たっている。下ボタン１２１５を押下すると、フォーカス１５１０は下に移動し、上ボタン１２１３を押下すると、フォーカス１５１０は上に移動する。すなわち、図８（ａ）の状態から下ボタン１２１５を押下すると、図８（ｂ）に示すように、フォーカス１５１０は一つ下に移動し、「２００」を選択及び決定した状態になる。更に下ボタン１２１５を押下すると、図８（ｃ）に示すように、フォーカス１５１０は一つ下に移動し、「４００」を選択及び決定した状態になる。
【００８２】
一覧画面１３００に一覧表示される設定項目の設定内容うち、特に別の表示器にも表示されるものについては、本実施形態のように選択が決定も兼ねるようにする。すなわち、設定画面において、第１の実施形態で述べたようにセットボタン１２１７を押下しなくとも、上下左右ボタン１２１３〜１２１６の押下だけで設定内容の選択及び決定されるようにする。
【００８３】
例えばＩＳＯ感度は光学ファインダ１０４内の表示部５４にも表示され、ユーザは光学ファインダ１０４を覗きながらＩＳＯ感度を変更する方法、及び、画像表示部２８を見ながらＩＳＯ感度を変更する方法の両方を利用することができる。光学ファインダ１０４を覗きながらの設定変更の場合は、設定変更をしてすぐに撮影動作に入りたい場合が多いと考えられるので、セットボタン１２１７を押下しなくても決定ができるようにするものである。シャッタースピード、絞り値等も同様である。
【００８４】
図９は、デジタルカメラによる画面表示の処理動作を示すフローチャートである。なお、ステップＳ２０１〜ステップＳ２０３、ステップＳ２０６、ステップＳ２０７、及びステップＳ２０８〜ステップＳ２１０は、図７のステップＳ１０１〜ステップＳ１０３、ステップＳ１０５、ステップＳ１０６、及びステップＳ１０８〜ステップＳ１１０と同様の処理である。
【００８５】
ステップＳ２０３において設定画面が表示されると、該設定項目が複数の表示器で表示されているかどうかを判定する（ステップＳ２０４）。複数の表示器で表示されている場合、フォーカスを決定を意味する強調表示する（ステップＳ２０５）。ここでは、強調表示として、予め定められた決定色によりフォーカス１５１０を表示するものとする。複数の表示器で表示されていない場合、図７のフローチャートのステップＳ１０４に進む。
【００８６】
ステップＳ２０５に続いて、ボタンイベントを判定する（ステップＳ２０６）。ステップＳ２０６において選択及び決定用操作部（ＩＳＯ感度の場合は上ボタン１２１３及び下ボタン１２１５）が押下された場合、その操作に従ってフォーカス１５１０を移動させるとともに（ステップＳ２０７）、フォーカス１５１０を決定を意味する強調表示する（ステップＳ２０５）。
【００８７】
一方、ステップＳ２０６においてセットボタン１２１７が押下された場合、一覧画面１３００に切り替える（ステップＳ２０８）。第２の実施形態では、設定内容の変更をした時点で既に決定してデジタルカメラに設定するので、フォーカス１５１０の強調表示を変更することなく一覧画面１３００に戻る。一覧画面１３００で、ステップＳ２０７において決定した設定内容のキャラクタを強調表示する（ステップＳ２０９）。ここでの強調表示も、ステップＳ２０５で表示したように、予め定められた同色の決定色でキャラクタを囲む領域を表示するものとする。所定時間の強調表示を行った後、その強調表示を解除して、通常の一覧画面とする（ステップＳ２１０）。
【００８８】
なお、上記実施形態では、本発明を適用する電子機器として撮像装置を例にしたが、携帯端末等であってもよい。
【００８９】
また、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００９０】
この場合、記憶媒体から読み出されたプログラムコード自体が上述した実施形態の機能を実現することになり、プログラムコード自体及びそのプログラムコードを記憶した記憶媒体は本発明を構成することになる。
【００９１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９２】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００９３】
更に、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００９４】
【図１】第１の実施形態に係るデジタルカメラの構成を示す図である。
【図２】第１の実施形態に係るデジタルカメラの外観図である。
【図３】一覧画面の一例を示す図である。
【図４】設定画面の一例を示す図である。
【図５】第１の実施形態における設定画面の画面遷移を説明するための図である。
【図６】第１の実施形態において、一覧画面から設定画面に遷移し、その後再び一覧画面に戻る一連の画面遷移を説明するための図である。
【図７】第１の実施形態に係るデジタルカメラによる画面表示の処理動作を示すフローチャートである。
【図８】第２の実施形態における設定画面の画面遷移を説明するための図である。
【図９】第２の実施形態に係るデジタルカメラによる画面表示の処理動作を示すフローチャートである。
【符号の説明】
【００９５】
１０：撮影レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部
３０：メモリ
３２：画像圧縮・伸長回路
５０：システム制御回路
５２：メモリ
５４：表示部
５６：不揮発性メモリ
６０：モードダイアルスイッチ
６２：シャッタースイッチＳＷ１
６４：シャッタースイッチＳＷ２
７０：操作部
７２：電源スイッチ
７４：強調表示部
７６：表示タイマー
１００：カメラ本体
１０４：光学ファインダ
３００：レンズユニット
【図１】
0005153354.tif 000002
【図２】
0005153354.tif 000003
【図３】
0005153354.tif 000004
【図４】
0005153354.tif 000005
【図５】
0005153354.tif 000006
【図６】
0005153354.tif 000007
【図７】
0005153354.tif 000008
【図８】
0005153354.tif 000009
【図９】
0005153354.tif 000010